(57)【要約】【課題】安価なメタル軸受け式のモータを採用しても、ボールベアリング式と同等の振動や騒音レベルを確保でき、使用者に不快感を与えることがない加湿装置を提供することを目的とする。【解決手段】メタル軸受け式のモータにシロッコファンの吸気口をモータと反対側に位置するように取り付け、位相制御によりモータへの通電量を制御する加湿装置において、モータを上方に向かって傾斜させて取り付けるとともに、モータへの通電時は、ステータとロータの磁気センターを合わせシャフトの端部とスラスト板に隙間を設けて回転させる。【選択図】図３
2008240673.tif 000002
【特許請求の範囲】
【請求項１】
室内の空気を吸込口から吸い込み加湿手段を経由させ吹出口より排出させるシロッコファンと、前記シロッコファンを駆動するメタル軸受け式のモータを備え、前記シロッコファンの吸気口を前記モータの反対側に位置するように取り付け、位相制御により前記モータへの通電量を制御する加湿装置において、前記モータを上方に向かって傾斜させて取り付けるとともに、前記モータへの通電時は前記モータのステータとロータの磁気センターを合わせシャフトの端部とスラスト板に隙間を設けて回転させることを特徴とする加湿装置。
【発明の詳細な説明】
【技術分野】
【０００１】
本発明は、室内の乾燥を防止するための加湿装置に係わり、特に、シロッコファンを駆動するモータからの振動及び騒音を低減する構造に関するものである。
【背景技術】
【０００２】
従来の加湿装置では、室内の空気を取入口から吸引し、湿潤した気化フィルターを通過させて加湿空気として吹出口から室内へ排出するためのシロッコファンと、このシロッコファンを駆動するためのモータを備えている。そして、シロッコファンは吸気口がモータの反対側に位置するようにモータに取り付けられている。このようにすると、シロッコファンの吸気口がモータにより邪魔されず一定の風量を確保できるからである。（特許文献１）
【０００３】
また、モータはボールベアリング式より安価なメタル軸受け式のモータを採用し、位相制御により回転数を制御することが一般的に行われている。そしてメタル軸受け式のモータの場合、回転中はステータとロータの磁気センターをずらしてシャフトをスラスト板に押し付け、位相制御によるシャフトとスラスト板の衝突による振動と衝突音を防止している。
【特許文献１】特開２００３−２２２３６１号公報
【発明の開示】
【発明が解決しようとする課題】
【０００４】
しかしながら、シロッコファンの吸気口をモータの反対側に位置するように取り付けた場合、シロッコファンの回転により、モータのシャフトがシロッコファン側へ引き寄せられる。モータへの通電中は、ステータとロータの磁気センターをずらしてシャフトをスラスト板に押し付けているが、通電停止後にシロッコファンが惰性で回転しているときには、この磁気による押し付け力が無くなるので、シャフトがシロッコファン側へ引き寄せられ、モータのケースにロータが接触して接触音が発生するという問題があった。
【０００５】
また、位相制御によりモータへの通電量を減少させた場合、シャフトのシロッコファン側への引き寄せられる力と磁気によるスラスト板への押し付け力のバランスが崩れ、シャフトとスラスト板に微小な隙間が発生する。この隙間がシャフトの移動可能量となり、シャフトはスラスト板に衝突することになる。一度、この衝突が発生するとスラスト板の反発力により、再度シャフトとスラスト板が離れてしまい繰り返すことにより連続的にシャフトとスラスト板の衝突が発生する。したがって、衝突による振動と衝突音が発生するとともに、スラスト板には耐磨耗性と衝撃吸収性を備えた材料を選定しなければならず、部品のコスト上昇という問題があった。
【０００６】
さらに、上述のような位相制御によるシャフトとスラスト板の衝突を低減するため、ステータとロータの磁気センターを更にずらしてシャフトのスラスト板への押し付け力を増加させると、ステータとロータの磁束密度のバランスが崩れ、ロータのスラスト板側への磁気による振動が発生するという問題があった。
【０００７】
本発明は上記課題を解決するためのもので、安価なメタル軸受け式のモータを採用しても、ボールベアリング式と同等の振動や騒音レベルを確保でき、使用者に不快感を与えることがない加湿装置を提供することを目的とする。
【課題を解決するための手段】
【０００８】
本発明は、室内の空気を吸込口から吸い込み加湿手段を経由させ吹出口より排出させるシロッコファンと、前記シロッコファンを駆動するメタル軸受け式のモータを備え、前記シロッコファンの吸気口を前記モータの反対側に位置するように取り付け、位相制御により前記モータへの通電量を制御する加湿装置において、前記モータを上方に向かって傾斜させて取り付けるとともに、前記モータへの通電時は、前記モータのステータとロータの磁気センターを合わせシャフトの端部とスラスト板に隙間を設けて回転させることを特徴とする加湿装置に係わるものである。
【発明の効果】
【０００９】
上述の構成にすることにより、モータのケースとロータの接触音、シャフトとスラスト板の衝突による振動と衝突音、及び磁気密度のバランスが崩れて発生する振動を防止できるとともに、部品のコスト上昇を抑えることができる。したがって、安価なメタル軸受け式モータを採用しても使用者に不快感を与えることがない。
【発明を実施するための最良の形態】
【００１０】
好適と考える本発明の最良の形態を、本発明の作用効果を示して簡単に説明する。
【００１１】
本発明は、メタル軸受け式のモータにシロッコファンの吸気口をモータと反対側に位置するように取り付け、位相制御によりモータへの通電量を制御する加湿装置において、モータを上方に向かって傾斜させて取り付けるとともに、モータへの通電時は、ステータとロータの磁気センターを合わせて回転させるものである。
【００１２】
つまり、モータを上方に向かって傾斜させて取り付けることにより、モータへの通電停止後シロッコファンが惰性で回転してシャフトがシロッコファン側へ引き寄せられても、シャフトとシロッコファンの自重によりスラスト板側に移動するので、モータのケースにロータが接触することがなくなる。したがって、通電停止後にモータのケースとロータの接触音を防止できる。
【００１３】
また、モータへの通電時は、ステータとロータの磁気センターを合わせてシャフトの端部とスラスト板に隙間を設けて回転させるので、位相制御によるシャフトとスラスト板の衝突を防止できる。したがって、衝突による振動と衝突音を防止できるとともに、スラスト板を耐磨耗性や衝撃吸収性の材料にしなくてもよいので部品のコスト上昇を抑えることができる。さらに、ステータとロータの磁束密度のバランスが崩れないので、ロータのスラスト板側への磁気による振動を防止できる。
【実施例】
【００１４】
以下本発明の一実施例を図面により説明する。
【００１５】
図１より、１は加湿装置の本体ケース、２は本体ケース１の上部に位置し加湿装置の運転を制御するための操作部で、この操作部２と隣接する上部に本体ケース１内で加湿された加湿空気を室内に排出するための吹出口３を設けている。また、４は室内の空気を本体ケース１内部に取り入れるための吸込口である。
【００１６】
図２は加湿器の縦断面構成図であり、５は図示しない給水タンクから供給された水を一定水量貯える水槽部、６は水槽部５内に配置され水槽部５の水を吸水して湿潤する加湿手段としての気化フィルターである。さらに、７はシロッコファンであり、８はシロッコファン７を駆動するためのメタル軸受け式のモータである。また、９は吸込口４と気化フィルター６の間に配置され、シロッコファン７によって吸込口４から取り入れられた空気を加熱する温風用ヒータである。
【００１７】
さらに、モータ８とシロッコファン７は水平面に対して上方に傾斜するとともに、シロッコファン７は吸気口７Ａがモータ８の反対側に位置するように取り付けられている。これによりモータ８は、シロッコファン７の吸気の邪魔をしないため一定の風量を確保できる。なお、図２における白矢印は本体ケース１内に取り入れられた空気の流れを、網掛け矢印は水分を含んだ加湿空気の流れを示している。
【００１８】
図３はシロッコファン７とモータ８の要部拡大構成図であり、メタル軸受け式のモータ８は、ケース１０内部の外周に固定されたステータ１１と、このステータ１１と対向して設けられたロータ１２と、ロータ１２に固着されたシャフト１３と、このシャフト１３をケース１０内の前後で遊びを有するように支持するメタル軸受け１４と、シャフト１３の端部を受けるスラスト板１５を備えている。
【００１９】
そして、モータ８への通電時は図４（Ａ）に示すように、ステータ１１とロータ１２の磁気センターを合わせ、シャフト１３の端部とスラスト板１５に隙間を設けて回転させている。また、通電停止時は図４（Ｂ）に示すように、モータ８が傾斜して取り付けられているため、シャフト１３とシロッコファン７の自重によりシャフト１３の端部がスラスト板１５に接触するようにしている。
【００２０】
次に、以上の構成における動作を説明する。加湿装置を運転する場合、先ず図示していない給水タンクに水を入れ、これを本体ケース１内に挿入し指定位置に設置する。これにより水槽部５には給水タンクから一定量の水が流れ出し一定水位の水が貯えられる。その結果、水槽部５に設置されている気化フィルター６は毛細管現象により水槽部５の水を吸い上げ湿潤する。
【００２１】
この状態で操作部２の運転スイッチを入れ、湿度設定スイッチで目標とする湿度を選択すると、モータ８が駆動してシロッコファン７が回転することにより室内の空気は吸込口４から本体ケース１内に取り入れら、気化フィルター６を通過する際に加湿空気となり吹出口３から排出される。そして、設定湿度と図示しない湿度センサが検出した検出湿度の差に応じて、モータ８の回転数を位相制御により制御して自動的に加湿運転が行なわれるようしている。
【００２２】
そして、モータ８への通電時は図４（Ａ）に示すように、ステータ１１とロータ１２の磁気センターを合わせ、シャフト１３の端部とスラスト板１５に隙間を設けて回転させるので、位相制御によるシャフト１３とスラスト板１５の衝突を防止できる。したがって、衝突による振動と衝突音を防止できるとともに、スラスト板１５を耐磨耗性や衝撃吸収性の材料にしなくてもよので、部品のコスト上昇を抑えることができるのである。さらに、ステータ１１とロータ１２の磁束密度のバランスが崩れないので、ロータ１２のスラスト方向への磁気による振動も防止できるのである。
【００２３】
また、加湿運転が停止した場合には、運転停止と同時にモータ８への通電も停止されるが、シロッコファン７は惰性で回転するためシャフト１３はシロッコファン７側へ引き寄せられることになる。しかし、モータ８を上方に向かって傾斜させて取り付けているため、シャフト１３がシロッコファン７側へ引き寄せられても、図４（Ｂ）に示すように、シャフト１３とシロッコファン７の自重によりシャフト１３がスラスト板１５側に移動するので、モータ８のケース１０にロータ１２が接触することがなくなるのである。したがって、通電停止後にケース１０とロータ１２の接触音を防止できるのである。
【図面の簡単な説明】
【００２４】
【図１】本発明の加湿器の傾斜図である。
【図２】本発明の加湿器の縦断面構成図である。
【図３】本発明のシロッコファンとモータの要部拡大構成図である。
【図４】本発明のモータの通電時と通電停止時の拡大断面構成図である。
【符号の説明】
【００２５】
３    吹出口
４    吸込口
６    気化フィルター（加湿手段）
７    シロッコファン
７Ａ  吸気口
８    モータ
１１  ステータ
１２  ロータ
１３  シャフト
１５  スラスト板
【図１】
2008240673.tif 000003
【図２】
2008240673.tif 000004
【図３】
2008240673.tif 000005
【図４】
2008240673.tif 000006